(57)【特許請求の範囲】
【請求項１】
親伝送装置と、制御部を持つ一または複数の第１の子伝送装置と、制御部を持たない所定数の第２の子伝送装置とを伝送路により接続したネットワークにおいて、
前記親伝送装置は、自装置の障害情報を保持するレジスタと、
自装置と制御部を持たない所定数の第２の子伝送装置からの障害情報を収集する制御部と、
該障害情報中の一次警報を、制御部を持つ一または複数の前記第１の子伝送装置に送出する一次警報通知部を備え、
前記制御部を持つ一または複数の第１の子伝送装置は、自装置の障害情報を保持するレジスタと、
自装置の障害情報を収集する制御部と、
前記親伝送装置から受信した一次警報と、自装置内の一次警報に関連する二次警報を抑止する二次警報抑止部を備え、
前記親伝送装置は、自装置の障害情報と制御部を持たない所定数の第２の子伝送装置から収集した障害情報の中の二次警報を抑止するとともに、前記制御部を持つ第１の子伝送装置は、前記親伝送装置から受信した一次警報および自装置内の一次警報に関連する二次警報を抑止することを特徴とするネットワークの監視システム。
【請求項２】
複数の親伝送装置と、制御部を持つ一または複数の第１の子伝送装置と、制御部を持たない所定数の第２の子伝送装置とを伝送路により接続したネットワークにおいて、
前記親伝送装置は、自装置の障害情報を保持するレジスタと、
自装置と制御部を持たない所定数の第２の子伝送装置からの障害情報を収集する制御部と、
該障害情報中の一次警報を前記制御部を持つ一または複数の第１の子伝送装置に送出する一次警報通知部を備え、
前記制御部を持つ一または複数の第１の子伝送装置は、自装置の障害情報を保持するレジスタと、
自装置の障害情報を収集する制御部と、
前記親伝送装置から受信した一次警報と、自装置内の一次警報に関連する二次警報を抑止する二次警報抑止部と、
複数の前記親伝送装置の中の現用系となる親伝送装置を登録する現用登録部とを備え、  前記制御部を持たない所定数の第２の子伝送装置は、複数の前記親伝送装置の中の現用系となる親伝送装置を登録する現用登録部を備え、
複数の前記親伝送装置は、前記制御部を持つ一または複数の第１の子伝送装置および前記制御部を持たない所定数の第２の子伝送装置にアクセスし、アクセスされた前記制御部を持つ一または複数の第１の子伝送装置および前記制御部を持たない所定数の第２の子伝送装置は、前記現用登録部に登録された前記親伝送装置に対して障害情報を送出することを特徴とするネットワークの監視システム。
【請求項３】
親伝送装置と、制御部を持つ一または複数の第１の子伝送装置と、制御部を持たない所定数の第２の子伝送装置とを伝送路により接続したサブリングと複数の伝送装置を伝送路により接続したメインリングよりなるネットワークにおいて、
前記親伝送装置は、自装置の障害情報を保持するレジスタと、
自装置と制御部を持たない所定数の第２の子伝送装置からの障害情報を収集する制御部と、
該障害情報中の一次警報を前記制御部を持つ一または複数の第１の子伝送装置に送出する一次警報通知部と、
メインリングネットワークへ制御監視情報との送受信を行なうメインリングインタフェースを備え、
前記制御部を持つ一または複数の第１の子伝送装置は、自装置の障害情報を保持するレジスタと、前記親伝送装置から受信した一次警報に関連する二次警報を抑止する二次警報抑止部を備え、
前記親伝送装置は、自装置の障害情報と前記制御部を持たない所定数の第２の子伝送装置から収集した障害情報の中の二次警報を抑止するとともに、収集した障害情報をメインリングインタフェースを介してメインリングに送出し、前記制御部を持つ第１の子伝送装置は、前記親伝送装置から受信した一次警報と自装置内の一次警報に関連する二次警報を抑止することを特徴とするネットワークの監視システム。
【発明の詳細な説明】
【０００１】
【発明の属する技術分野】
本発明は、親伝送装置と制御部を持つ子伝送装置と制御部を持たない子伝送装置を伝送路で接続したネットワークの監視方式に関する。
【０００２】
情報化社会の進展に伴い、大量データの高速通信が必要となってきており、ネットワークはますます拡大してきている。かかる大規模ネットワークに接続される伝送装置は、例えば、マイクロプロセッサを搭載し、これを制御部として、該制御部により、各種設定制御、監視を行い、柔軟なネットワーク構築を可能としている。一方、ネットワークを経済的に構築することも必要であり、このためには、収容端末の少ない子伝送装置では制御部を設けずに、自分自身の障害をハードウェア的に検出して、その障害情報をレジスタに保持しておき、該レジスタを親伝送装置の制御部からアクセスすることにより障害情報を収集して監視制御を行なっている。
【０００３】
かかるネットワークにおいて、親伝送装置でネットワーク全体の監視を行なうとき、ネットワークが大規模化すると、監視対象機器の台数が増大し、監視項目も多岐にわたり、親伝送装置で処理する障害情報量が大きくなり、制御部の負荷が増大し、処理に長時間を要するようになり、障害情報を迅速に収集できなくなる場合も生ずる。
【０００４】
そこで、大規模ネットワークにおいても、効率的に監視制御を行なうことの可能な伝送装置の監視方式が要求されている。
【０００５】
【従来の技術】
図９は従来例を説明する図を示す。図中の１００は親伝送装置であり、自装置の監視制御とネットワークの監視制御を行なう制御部１１０と、自装置および収集した障害情報、および各種制御情報を蓄積しておく記憶装置１３０と、自装置内の個々の障害情報を書き込んでおくレジスタ１４１〜１４３を備えている。
【０００６】
また、２０１Ａ、２０２Ａは自装置の監視制御を行なう制御部２１０、自装置の障害情報、および各種制御情報を蓄積しておく記憶装置２３０と、自装置内の障害情報を書き込んでおくレジスタ２４１〜２４２を備えた子伝送装置Ｉである。
【０００７】
さらに、３０１Ａ、３０２Ａは制御部は持たない子伝送装置IIであり、自装置内の障害情報を書き込んでおくレジスタ３４１を備えている。
図の構成において、親伝送装置１００はレジスタ１４１〜１４３の３個、子伝送装置Ｉ２０１Ａ、２０２Ａはレジスタ２４１、２４２の２個、子伝送装置II３０１Ａ、３０２Ａはレジスタ３４１の１個のみを備えているが、レジスタの数はこの数に限定されるものではなく、伝送装置の規模により増減可能である。
【０００８】
４００は親伝送装置１００に接続されるネットワーク監視装置である。
かかる構成において、子伝送装置Ｉ２０１Ａ、２０２Ａでは制御部２１０により自装置の監視制御を行なう。検出された個々の障害情報はレジスタ２４１、２４２に書き込まれているので、制御部２１０は、レジスタ２４１、２４２から障害情報を読み出し記憶装置２３０の指定の領域に格納しておく。
【０００９】
一方、子伝送装置II３０１Ａ、３０２Ａは自装置の監視を行い、障害を検出した場合は、障害情報はレジスタ３４１に保持される。
かかる状態で、親伝送装置１００の制御部１１０は子伝送装置Ｉ２０１Ａ、２０２Ａの制御部２１０を介して記憶装置２３０に書き込んである障害情報を収集する。子伝送装置II３０１Ａ、３０２Ａについては、レジスタ３４１を直接アクセスすることにより障害情報を収集し、記憶装置１３０に書き込むとともに、障害情報の処理を行い、その結果をネットワーク監視装置４００のディスプレイに表示する。
【００１０】
【発明が解決しようとする課題】
かかるネットワークの監視制御において、複数の障害が発生した場合、それらの障害には因果関係のある場合が多い。例えば、伝送装置間を接続する伝送路に障害が生じ、その信号レベルが低下した場合、障害として、信号レベル低下、クロック信号同期外れ等を検出するが、「クロック信号同期外れ」の原因は「信号レベル低下」であるので、ネットワーク監視の点からは、２つの障害を個別に出力する必要はなく、これらの障害のおおもとの原因となっている「信号レベル低下」のみを出力すれば障害対策には十分である。このような基本的な障害原因となる障害を一次障害、一次障害にかかわる情報を一次警報と称し、一次障害が原因となって引き起こされる障害を二次障害、二次障害にかかわる情報を二次警報と称する。
【００１１】
本発明は、ネットワーク監視において、一次障害が原因となって引き起こされる二次障害に関する二次警報を抑圧することにより、親伝送装置の負荷を軽減し、効率的に監視制御を行なうことのできるネットワークの監視方式を実現しようとする。
【００１２】
【課題を解決するための手段】
図１は本発明の原理を説明する図である。図は親伝送装置１００と、制御部を持つ一または複数の第１の子伝送装置２０１、２０２と、制御部を持たない所定数の第２の子伝送装置３０１、３０２とを伝送路により接続したネットワークを示す。ここで、第２の子伝送装置３０１、３０２を所定数としたのは、０を含む任意の数でも可であることを示す。
【００１３】
図において、親伝送装置１００は、自装置と制御部を持たない所定数の第２の子伝送装置３０１、３０２からの障害情報を収集する制御部１１０と、障害情報中の一次警報を、制御部を持つ一または複数の第１の子伝送装置２０１、２０２に送出する一次警報通知部１２０を備えている。
【００１４】
また、制御部を持つ一または複数の第１の子伝送装置２０１、２０２は、自装置の障害情報を収集する制御部２１０と、親伝送装置１００から受信した一次警報と、自装置内の一次警報に関連する二次警報を抑止する二次警報抑止部２２０を備えている。
【００１５】
そして、３０１、３０２は制御部を持たない第２の子伝送装置であり、障害情報を保持するレジスタ３４１を備えている。
親伝送装置１００は自装置の障害情報と制御部を持たない所定数の第２の子伝送装置３０１、３０２から収集した障害情報の中の二次警報を抑止するとともに、障害情報の中の一次警報を制御部を持つ第１の子伝送装置２０１、２０２に通知し、通知を受けた第１の子伝送装置２０１、２０２は、親伝送装置から受信した一次警報および自装置内の一次警報に関連する二次警報を抑止し、二次警報を抑止した障害情報を親伝送装置１００に送出する。
【００１６】
図において、第１の子伝送装置、第２の子伝送装置はそれぞれ２台図示しているが、それぞれ２台に限定されるものではなく、ネットワークの規模により、増減可能であり、ネットワークは１台の親伝送装置１００と、少なくとも１台の第１の子伝送装置２０ｉ（ｉ＝任意の数）、および０台以上の第２の子伝送装置３０ｊ（ｊ＝任意の数）から構成することが可能である。
【００１７】
また、ネットワークはリングネットワークで図示しているが、リングネットワークに限定されるものではない。
【００１８】
【発明の実施の形態】
図２は本発明の実施の形態（１）を説明する図である。図は親伝送装置１００と第１の子伝送装置２０ｉとしての子伝送装置Ｉ２０１Ａ、２０２Ａ、第２の子伝送装置３０ｊとしての子伝送装置II３０１Ａ、３０２Ａを伝送路で接続してネットワークを構成したものである。
【００１９】
親伝送装置１００は制御部１１０、一次警報通知部１２０、記憶装置１３０、レジスタ１４１〜１４３を備え、ネットワーク監視装置（図中監視装置と示す）４００が接続されており、子伝送装置Ｉ２０１Ａ、２０２Ａは制御部２１０、二次警報抑止部２２０、記憶装置２３０、レジスタ２４１、２４２を備えており、子伝送装置II３０１Ａ、３０２Ａはレジスタ３４１を備えている。
【００２０】
また、子伝送装置II３０１Ａ、３０２Ａには、障害状態を保持するレジスタ３４１が設けられており、親伝送装置１００の制御部１１０は、このレジスタ３４１をアクセスすることにより、保持されている警報情報を収集し、記憶装置１３０に格納する。また、親伝送装置１００の自装置の障害情報はレジスタ１４１〜１４３に保持されているので、これを制御部１１０からアクセスすることにより、障害情報を収集する。
【００２１】
さらに、子伝送装置Ｉ２０１Ａ、２０２Ａ内の自装置の障害情報はレジスタ２４１、２４２に保持されており、制御部２１０はこれをアクセスして障害情報を収集し、記憶装置２３０に格納しておく。
【００２２】
親伝送装置１００で収集した障害情報は、警報テーブルＴ（図示省略、図３にて説明を行なう）と参照して、一次警報があるか否かを判定する。一次警報がある場合には、全ての子伝送装置Ｉ２０１Ａ、２０２Ａに対して、その一次警報を通知する。一次警報を受信した子伝送装置Ｉ２０１Ａ、２０２Ａもそれぞれ警報テーブルＴ（図示省略）を備えており、自装置のレジスタ２４１、２４２をリードして収集した障害情報の中の、受信した一次警報、および自装置内の一次警報に対応する二次警報を抑止する。収集した障害情報はネットワーク監視装置４００に送出され、指定の統計処理を行ない、その結果はネットワーク監視装置４００のディスプレイ上に表示される。このように、子伝送装置Ｉ２０１Ａ、２０２Ａは二次警報を抑止した後の障害情報を親伝送装置１００に送出することにより、親伝送装置１００が処理する障害情報量を削減でき、ネットワークの効率的な監視制御を行なうことができる。
【００２３】
図３は本発明の警報テーブルを説明する図である。警報テーブルＴは一次警報と二次警報の対応をテーブルに纏めたものであり、図においては、一次警報Ａに対して二次警報ａ１〜ａｉが、一次警報Ｂに対して二次警報ｂ１〜ｂｊが、一次警報Ｎに対して二次警報ｎ１〜ｎｋが登録されている。
【００２４】
図４は本発明の実施の形態（１）のフローチャート（その１）である。図４により、本発明の動作を詳細に説明する。
ステップ（以下Ｓと称する）１；親伝送装置１００は図示省略のタイマにより、一定時間が経過するごとに、障害情報の収集を行なう動作を繰り返す。ここでは、まず、親伝送装置１００のレジスタ１４１〜１４３をリードして障害情報の検出を行なう。
【００２５】
Ｓ２；次いで、順次、子伝送装置をアクセスし、全ての子伝送装置のアクセスが完了したか否かを判定する。
Ｓ３；アクセスした子伝送装置が子伝送装置IIであるか否かを判定し、子伝送装置IIでない場合は、Ｓ２に戻り、次の子伝送装置をアクセスする。
【００２６】
Ｓ４；Ｓ３でアクセスした子伝送装置が子伝送装置IIの場合は、レジスタ３４１をリードして障害情報の検出を行なう。
Ｓ５；Ｓ２で全子伝送装置のアクセスを完了した場合、警報テーブルＴを参照して収集した障害情報の中に一次警報があるか否かを判定する。
【００２７】
Ｓ６；収集した障害情報の中に一次警報がある場合、警報テーブルＴを参照して一次警報に対応する二次警報を抑止する。
Ｓ７；次いで、順次、子伝送装置Ｉのみをアクセスし、全ての子伝送装置Ｉのアクセスが完了したか否かを判定する。
【００２８】
Ｓ８；Ｓ６で二次警報を抑止した結果の一次警報のみを全ての子伝送装置Ｉに通知する。
Ｓ５で、収集した障害情報の中に一次警報が含まれていない場合はそのままで終了する。
【００２９】
図５は本発明の実施の形態（１）のフローチャート（その２）である。図４は障害情報を親伝送装置１００で収集し、障害情報の中に一次警報が含まれていない場合はそのまま終了としたが、一次警報が含まれていない場合でも子伝送装置Ｉ２０１Ａ、２０２Ａは親伝送装置１００から、一次警報が無いことを示す一次警報無情報を受信することにより、親伝送装置１００の正常動作を確認する構成としている。フローチャートは図４と異なっている部分のみを説明する。
【００３０】
Ｓ１〜Ｓ８は図４と同じである。
Ｓ９；Ｓ５で収集した障害情報の中に一次警報がない場合でも、子伝送装置Ｉ２０ｉＡを順次アクセスし、全ての子伝送装置Ｉのアクセスが完了したか否かを判定する。
【００３１】
Ｓ１０；アクセスした子伝送装置Ｉ２０ｉＡに一次警報がないことを通知する。
図６は本発明の実施の形態（１）のフローチャート（その３）である。図は、図４、図５のフローチャートの処理により、一次警報の通知をうけた子伝送装置Ｉ２０ｉＡの動作を説明するフローチャートである。
【００３２】
（Ａ）は図示省略のタイマにより、一定時間が経過するごとに、障害情報の処理を行なう動作を繰り返す例である。
Ｓ１；タイマにより一定時間が経過すると、制御部２１０が起動され、自装置内のレジスタ２４１、２４２をリードし障害情報を記憶装置２３０に書き込む。
【００３３】
Ｓ２；自装置内の一次警報か、親伝送装置１００から受信した一次警報があるか否かを判定する。
Ｓ３；警報テーブルＴを参照して一次警報に対応する二次警報を抑止する。
【００３４】
Ｓ４；二次警報を抑止した障害情報を親伝送装置１００に通知する。
このようにして、自装置内の一次警報および親伝送装置１００から受信した一次警報に対応する二次警報を抑止することにより、送出する情報量を削減し、制御部１１０の負荷を軽減することが可能となる。
【００３５】
（Ｂ）親伝送装置１００は障害情報を収集し、その中に一次警報がある場合は、その一次警報を子伝送装置Ｉ２０ｉＡに送出する。ここでは、親伝送装置１００からの一次警報を受信したときに、子伝送装置Ｉ２０ｉＡの制御部２１０が起動され障害情報の収集、親伝送装置１００への送出を行なうものであり、（Ａ）のフローチャートに対して、一次警報を受信したか否を判定するステップＳ１Ａが追加された例である。
【００３６】
図７は本発明の実施の形態（２）を説明する図である。図２で説明した実施の形態（１）では、ネットワーク上に、１台の親伝送装置１００を設けているが、実施の形態（２）では、ネットワーク監視の信頼度を高めるために、複数の親伝送装置、ここでは２台の親伝送装置１０１、１０２を設けて構成した例である。
【００３７】
実施の形態（２）の子伝送装置Ｉ２０１Ａ、２０２Ａ、子伝送装置II３０１Ａ、３０２Ａには、親伝送装置１０１、１０２のうち、現用系として監視を行なう装置を指定する情報を書き込んでおく現用登録部としてのメモリ２５１、３５１を備えている。
【００３８】
図の構成において、親伝送装置１０１、１０２の制御部１１０は、子伝送装置Ｉ２０１Ａ、２０２Ａ、子伝送装置II３０１Ａ、３０２Ａのメモリ２５１、３５１をアクセスして、その登録情報から現用系の装置を決定して、現用系として指定された親伝送装置１０ｉ（ｉ＝１ＯＲ２）が、実施の形態（１）で説明したのと同じ処理を行なって障害情報の収集を行なう。
【００３９】
かかる構成により、ネットワークの信頼度を高めることが可能となる。
図８は本発明の実施の形態（３）を説明する図である。図２、３で説明した実施の形態（１）、（２）は１つリングから構成されたネットワークであるが、図８では、サブリングとメインリングからネットワークが構成されており、サブリングの親伝送装置１００が収集した障害情報をメインリングの伝送装置１００Ａに送出する構成とした例である。
【００４０】
図において、サブリングは親伝送装置１００と子伝送装置Ｉ２０１Ａ、２０２Ａ、子伝送装置II３０１Ａ、３０２Ａから構成され、メインリングは伝送装置１００Ａ、１００Ｂ、１００Ｃと親伝送装置１００から構成される。ここで、親伝送装置１００はサブリングの親伝送装置となるとともに、メインリングを構成する伝送装置として動作する。
【００４１】
実施の形態（３）では、サブリングの親伝送装置１００には、メインリングとのインタフェースをとるメインリングインタフェース（図中インタフェースをＩＮＦと示す）１６０を備えており、親伝送装置１００が収集したサブリングの障害情報をメインリングインタフェース１６０を介して、メインリングに送出し、メインリングの伝送装置１００Ａに接続されたネットワーク監視装置４００のディスプレイに障害情報の表示を行なう。
【００４２】
ここで、サブリングの障害情報の収集処理において、二次警報を抑止する動作は実施の形態（１）で説明したと同じである。
かかる構成により、サブリング、メインリングから構成されたネットワークにおいても、ネットワーク監視を効率的に行なうことができる。
【００４３】
【発明の効果】
本発明によれば、親伝送装置で収集した障害情報の中の一次警報を制御部を備えた子伝送装置に通知することにより、子伝送装置では、通知された一次警報に関連する二次警報を確実に抑止することができる。
【００４４】
また、かかる抑止動作により、ネットワーク上の障害情報を削減でき、制御部の負荷を削減し、効率的なネットワーク監視が可能となる。
【図面の簡単な説明】
【図１】  本発明の原理を説明する図
【図２】  本発明の実施の形態（１）を説明する図
【図３】  本発明の警報テーブルを説明する図
【図４】  本発明の実施の形態（１）のフローチャート（その１）
【図５】  本発明の実施の形態（１）のフローチャート（その２）
【図６】  本発明の実施の形態（１）のフローチャート（その３）
【図７】  本発明の実施の形態（２）を説明する図
【図８】  本発明の実施の形態（３）を説明する図
【図９】  従来例を説明する図
【符号の説明】
１００、１０１、１０２  親伝送装置
１００Ａ〜１００Ｃ  伝送装置
１１０、２１０  制御部
１２０  一次警報通知部
１３０、２３０  記憶装置
１４１〜１４３、２４１、２４２、３４１  レジスタ
１６０  メインリングインタフェース
２０１、２０２  第１の子伝送装置
２０１Ａ、２０２Ａ  子伝送装置Ｉ
２２０  二次警報抑止部
２５１、３５１  メモリ
３０１、３０２  第２の子伝送装置
３０１Ａ、３０２Ａ  子伝送装置II
４００  ネットワーク監視装置
Ｔ  警報テーブル
【図１】
0003896660.tif 000002
【図２】
0003896660.tif 000003
【図３】
0003896660.tif 000004
【図４】
0003896660.tif 000005
【図５】
0003896660.tif 000006
【図６】
0003896660.tif 000007
【図７】
0003896660.tif 000008
【図８】
0003896660.tif 000009
【図９】
0003896660.tif 000010